【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
車両に関する複数の情報を記憶するデータベース（１６〜２２）と、
前記データベースに記憶されている前記複数の情報を統合して車両状態を特定する車両状態特定部（１５ａ）と、
前記車両状態特定部による車両状態の特定結果を表示装置において表示可能な可視化情報として生成する可視化情報生成部（１５ｂ）と、
前記可視化情報生成部により生成された可視化情報を前記表示装置に送信する可視化情報送信部（１５ｃ）と、を備え、
前記データベースは、車両から取得された情報を含む複数の情報を記憶し、
前記車両状態特定部は、前記複数の情報を統合してファイルサーバから車両側マスタ装置にダウンロードされたリプログデータに係る車両状態を特定するセンター装置。
【請求項２】
前記可視化情報生成部は、車両ログ情報とアプリ評価情報とを統合したアプリ利用状況、車両ログ情報と車両情報と設計情報とを統合した異常発生状況、車両ログ情報に基づいたイベントログ、通信ログ情報と脅威情報とを統合した通信先対象のうち少なくとも何れかを可視化情報として生成する請求項１に記載したセンター装置。
【請求項３】
車両に関する複数の情報を記憶するデータベース（１６，１７，２１）と、
前記データベースに記憶されている前記複数の情報を統合して車両状態を特定する車両状態特定部（１５ａ）と、
前記車両状態特定部による車両状態の特定結果を表示装置において表示可能な可視化情報として生成する可視化情報生成部（１５ｂ）と、
前記可視化情報生成部により生成された可視化情報を前記表示装置に送信する可視化情報送信部（１５ｃ）と、を備え、
前記データベースは、車両毎の車載通信機のデータ通信に関する通信ログ情報を記憶する通信ログ情報データベースと、車両毎の車両の挙動に関する車両ログ情報を記憶する車両ログ情報データベースと、車両の挙動において脅威となる脅威情報を記憶する脅威情報データベースと、を含み、
車両状態特定部は、前記通信ログ情報、前記車両ログ情報及び前記脅威情報のうち少なくとも２つ以上を統合して車両状態を特定するセンター装置。
【請求項４】
前記可視化情報生成部は、車両内個別の異常状況、ケース別の異常発生傾向、イベント発生状況の概況のうち少なくとも何れかを可視化情報として生成する請求項１から３の何れか一項に記載したセンター装置。
【請求項５】
前記可視化情報生成部は、車両内個別の異常状況を可視化情報として生成する場合に、不正通信発生、バス負荷異常情報、ファームウェア異常のうち少なくとも何れかを生成する請求項４に記載したセンター装置。
【請求項６】
前記可視化情報生成部は、イベント発生状況の概況を可視化情報として生成する場合に、アラート発生件数、イベント発生状況、エリア別アラート一覧のうち少なくとも何れかを生成する請求項４に記載したセンター装置。
【請求項７】
請求項１から６の何れか一項に記載したセンター装置（２）と、
前記センター装置から可視化情報を受信し、その受信した可視化情報を表示する表示装置（４，１２，１４）と、を備える車両状態の特定結果表示システム。
【請求項８】
車両から取得された情報を含む当該車両に関する複数の情報を記憶するデータベース（１６〜２２）を備えるセンター装置（２）に、
前記データベースに記憶されている前記複数の情報を統合してファイルサーバから車両側マスタ装置にダウンロードされたリプログデータに係る車両状態を特定する車両状態特定手順と、
前記車両状態特定手順による車両状態の特定結果を表示装置において表示可能な可視化情報として生成する可視化情報生成手順と、
前記可視化情報生成手順により生成した可視化情報を前記表示装置に送信する可視化情報送信手順と、を実行させる車両状態の特定結果送信プログラム。
【請求項９】
車両から取得された情報を含む当該車両に関する複数の情報を記憶するデータベース（１６〜２２）を備えるセンター装置（２）に、
前記データベースに記憶されている前記複数の情報を統合してファイルサーバから車両側マスタ装置にダウンロードされたリプログデータに係る車両状態を特定する車両状態特定手順と、
前記車両状態特定手順による車両状態の特定結果を表示装置において表示可能な可視化情報として生成する可視化情報生成手順と、
前記可視化情報生成手順により生成した可視化情報を前記表示装置に送信する可視化情報送信手順と、を行う車両状態の特定結果送信方法。
【請求項１０】
車両に関する複数の情報を記憶するデータベース（１６，１７，２１）として、車両毎の車載通信機のデータ通信に関する通信ログ情報を記憶する通信ログ情報データベースと、車両毎の車両の挙動に関する車両ログ情報を記憶する車両ログ情報データベースと、車両の挙動において脅威となる脅威情報を記憶する脅威情報データベースと、を備えるセンター装置（２）に、
前記通信ログ情報、前記車両ログ情報及び前記脅威情報のうち少なくとも２つ以上を統合して車両状態を特定する車両状態特定手順と、
前記車両状態特定手順による車両状態の特定結果を表示装置において表示可能な可視化情報として生成する可視化情報生成手順と、
前記可視化情報生成手順により生成した可視化情報を前記表示装置に送信する可視化情報送信手順と、を実行させる車両状態の特定結果送信プログラム。
【請求項１１】
車両に関する複数の情報を記憶するデータベース（１６，１７，２１）として、車両毎の車載通信機のデータ通信に関する通信ログ情報を記憶する通信ログ情報データベースと、車両毎の車両の挙動に関する車両ログ情報を記憶する車両ログ情報データベースと、車両の挙動において脅威となる脅威情報を記憶する脅威情報データベースと、を備えるセンター装置（２）に、
前記通信ログ情報、前記車両ログ情報及び前記脅威情報のうち少なくとも２つ以上を統合して車両状態を特定する車両状態特定手順と、
前記車両状態特定手順による車両状態の特定結果を表示装置において表示可能な可視化情報として生成する可視化情報生成手順と、
前記可視化情報生成手順により生成した可視化情報を前記表示装置に送信する可視化情報送信手順と、行う車両状態の特定結果送信方法。
【手続補正２】
【補正対象書類名】明細書
【補正対象項目名】発明の名称
【補正方法】変更
【補正の内容】
【発明の名称】センター装置、車両状態の特定結果表示システム、車両状態の特定結果送信プログラム及び車両状態の特定結果送信方法
【手続補正３】
【補正対象書類名】明細書
【補正対象項目名】０００５
【補正方法】変更
【補正の内容】
【０００５】
本発明は、上記した事情に鑑みてなされたものであり、その目的は、車両状態がどのような状態であるかを可視化してユーザ等に適切に提示することができるセンター装置、車両状態の特定結果表示システム、車両状態の特定結果送信プログラム及び車両状態の特定結果送信方法を提供することにある。
【手続補正４】
【補正対象書類名】明細書
【補正対象項目名】０００６
【補正方法】変更
【補正の内容】
【０００６】
請求項１に記載した発明によれば、車両に関する複数の情報を記憶するデータベース（１６〜２２）を備える。車両状態特定部（１５ａ）は、データベースに記憶されている複数の情報を統合して車両状態を特定する。可視化情報生成部（１５ｂ）は、車両状態が車両状態特定部により特定されると、その特定結果を表示装置において表示可能な可視化情報として生成する。可視化情報送信部（１５ｃ）は、可視化情報が可視化情報生成部により生成されると、その生成された可視化情報を表示装置に送信する。データベースは、車両から取得された情報を含む複数の情報を記憶する。車両状態特定部は、複数の情報を統合してファイルサーバから車両側マスタ装置にダウンロードされたリプログデータに係る車両状態を特定する。
【手続補正５】
【補正対象書類名】明細書
【補正対象項目名】０００７
【補正方法】変更
【補正の内容】
【０００７】
車両から取得された情報を含む複数の情報を統合してファイルサーバから車両側マスタ装置にダウンロードされたリプログデータに係る車両状態を特定し、その特定結果を可視化情報として生成し、その生成した可視化情報を表示装置に送信するようにした。車両状態の特定結果が可視化情報として表示装置において表示されることで、車両状態がどのような状態であるかを可視化してユーザ等に適切に提示することができる。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】